(57)【要約】【課題】本発明は各種状態を検出する検出手段への電源の供給をも適切に遮断して効率的に省電力を行う画像形成装置を提供する。【解決手段】画像形成装置１は、原稿読取部で、原稿台に設置された原稿を圧板で抑えつつ原稿に露光ランプを移動させて読取光を照射して原稿の画像を読み取り、電子写真プロセス部６で原稿の画像を給紙部から搬送されてくる用紙に画像形成する。画像形成装置１は、設定時間をカウントするタイマカウント部１１が、画像形成動作が終了した後、短い方の設定時間である第１設定時間をカウントすると、電源遮断部２０が、ランプ位置・紙搬送等検知部１０への電源の供給を遮断し、その後、タイマカウント部１１が長い方の設定時間である第２設定時間をカウントすると、原稿設置・圧板開閉検知部９への電源の供給を遮断する。【選択図】　　　　　図１
2004112166.tif 000002
【特許請求の範囲】
【請求項１】
露光ランプの戻り位置を検出する位置検出手段等の動作状態を検出する動作検出手段と、原稿台上のへの原稿の設置の有無を検出する原稿設置検出手段及び原稿を原稿読取台上に押しつける圧板の開閉状態を検出する圧板開閉検出手段等の画像形成動作前の動作を検出する前動作検出手段と、が設けられている原稿読取部で、前記原稿台に設置された原稿を前記圧板で抑えつつ当該原稿に露光ランプを移動させつつ読取光を照射して当該原稿の画像を読み取り、紙搬送状態を検出する紙搬送検出手段等の動作状態を検出する動作検出手段の設けられている画像形成部で、前記原稿読取部で読み取った原稿の画像を給紙部から搬送されてくる用紙に画像形成する画像形成装置において、少なくとも前記動作検出手段と前記前動作検出手段への電源を個別に供給／遮断する電源供給／遮断手段と、予め設定された長短２つの異なる第１設定時間と第２設定時間をカウントするタイマカウント手段と、当該タイマカウント手段が、前記画像形成動作が終了した後、前記短い方の設定時間である第１設定時間をカウントすると、前記電源供給／遮断手段に前記動作検出手段への電源の供給を遮断させ、その後、前記タイマカウント手段が前記長い方の設定時間である第２設定時間をカウントすると、前記電源供給／遮断手段に前記前動作検出手段への電源の供給を遮断させる制御手段と、を備えていることを特徴とする画像形成装置。
【請求項２】
前記位置検出手段及び前記紙搬送検出手段等の前記動作検出手段は、透過型フォトインタラプタで構成されていることを特徴とする請求項１記載の画像形成装置。
【請求項３】
前記画像形成装置は、前記第１設定時間及び前記第２設定時間を任意に設定可能であることを特徴とする請求項１または請求項２記載の画像形成装置。
【請求項４】
前記制御手段は、前記動作検出手段への電源供給を遮断した後、または、前記動作検出手段及び前記前動作検出手段への電源供給を遮断した後、前記画像形成装置の本体の電源が一旦オフされた後のオン操作、所定の画像形成操作、または、所定の電源供給復帰要求操作があると、前記動作検出手段への電源供給、または、前記動作検出手段及び前記前動作検出手段への電源供給を再開することを特徴とする請求項１から請求項３のいずれかに記載の画像形成装置。
【発明の詳細な説明】
【０００１】
【発明の属する技術分野】
本発明は、画像形成装置に関し、詳細には、各種状態を検出する検出手段への電源の供給をも適切に遮断して効率的に省電力を行う画像形成装置に関する。
【０００２】
【従来の技術】
【特許文献１】
特開平９−３７０５５号公報
省電力化が各種機器において重要な課題となってきている今日、ファクシミリ装置、複写装置及びプリンタ装置等の画像形成装置においても、画像形成動作を行わない待機状態に、画像形成装置の主要部分への電源の供給を停止したり、供給電圧を低下する省エネルギモードを備えるようになってきている。
【０００３】
このような省エネルギ（以下、省エネという。）を行う従来技術としては、例えば、特許文献１の「ファクシミリ装置」がある。このファクシミリ装置は、待機モード時に、オフフック検知手段への電力供給及びその供給停止を所定の間隔で交互に切り替えることで、省エネを行っている。
【０００４】
【発明が解決しようとする課題】
しかしながら、このような従来技術にあっては、より省エネの効果を向上させつつ画像形成装置の利用性を良好なものとする上で、改良の必要があった。
【０００５】
すなわち、上記公報記載の従来技術にあっては、所定の時間間隔で交互に電力の供給と停止を切り替えているため、交互に電力の供給と停止を切り換える分、待機時の電力が消費され、消費電力をより効果的に削減する上で、改良の必要があった。また、従来技術では、電力供給と停止を切り換える時間間隔が一定であるため、利用態様による制御を行うことができず、利用性を向上させる上で、また、より一層効果的に消費電力を削減する上で、改良の必要があった。
【０００６】
一方、従来の一般的な画像形成装置にあっては、本体電源がオンしているかぎり、原稿に読取光を照射するための光源ランプの位置を検知するランプ位置検知センサ、紙搬送状態を検知する紙搬送検知センサ、原稿の原稿台への載置の有無を検知する原稿設置検知センサ及び原稿読取台上の原稿を押さえ付ける圧板の開閉状態を検知する圧板開閉センサ等の検知センサについては、常時、電源を供給しつづけている。
【０００７】
例えば、図６に示すように、従来のランプ位置兼紙搬送検知センサ１００は、ＬＥＤ（Ｌｉｇｈｔ　Ｅｍｉｔｔｉｎｇ　Ｄｉｏｄｅ）１０１、フォトダイオード（ＰＤ）１０２及びフィラー１０３を備えており、フィラー１０３は、ＬＥＤ１０１とフォトダイオード１０２の間に配設されている。ＬＥＤ１０１には、抵抗１０４を介して画像形成装置の電源が投入されている限り、常に、＋５Ｖの電源が供給され、ＬＥＤ１０１は、検出光をフォトダイオード１０２方向に出射する。フォトダイオード１０２には、抵抗１０５を介して画像処理装置の電源が投入されている限り、常に、＋５Ｖの電源が供給されており、フォトダイオード１０２は、ＣＰＵ（Ｃｅｎｔｒａｌ　Ｐｒｏｃｅｓｓｉｎｇ　Ｕｎｉｔ　）１０６に接続されている。フィラー１０３は、ランプ位置又は搬送路中の転写紙によって移動して、ＬＥＤ１０１からフォトダイオード１０２までの光路を遮断したり、透過させたりする。
【０００８】
そして、フォトダイオード１０２は、図７に示すように、搬送路に紙があるときには、フィラー１０３がＬＥＤ１０１とフォトダイオード１０２の光路を遮断して、フォトダイオード１０２は、ＣＰＵ１０６に「Ｌ」の検出信号を出力し、搬送路に紙がないときには、フィラー１０３がＬＥＤ１０１とフォトダイオード１０２の光路を遮断せずに透過させて、フォトダイオード１０２は、ＣＰＵ１０６に「Ｈ」の検出信号を出力する。
【０００９】
ところが、ランプ位置検知センサは、画像形成動作終了後に光源ランプが所定の位置に戻って次の画像形成動作を行える状態にあることを検知するためのもので、紙搬送検知センサは、画像形成動作中の紙搬送異常を検知するためのもので、いずれも画像形成動作に必要な検知センサであり、また、原稿設置検知センサと圧板開閉検知センサは、ユーザが画像形成操作を行なおうとしたことを検知するもので、画像形成動作に入る前に画像形成準備を行うために必要な検知センサである。
【００１０】
したがって、ランプ位置検知センサ、紙搬送検知センサ、原稿設置検知センサ、圧板開閉検知センサ等の各検知センサは、いずれも画像形成動作を行わない限り、各検知センサに供給されている電源は無駄であり、特に、電気機器において待機時の消費電力を極力減らすことが近年要望されていることから、このような無駄な電力をより一層削減する必要がある。
【００１１】
そこで、本発明は、長短２つの設定時間をカウントするタイマカウント手段のカウント結果に基づいて、画像形成動作中の動作を検出する動作検出手段と、画像形成動作前の各種動作を検出する前動作検出手段と、への電源供給を順次遮断して、より効率的に省電力を行う画像形成装置を提供することを目的としている。
【００１２】
具体的には、請求項１記載の発明は、露光ランプの戻り位置を検出する位置検出手段等の動作状態を検出する動作検出手段と、原稿台上のへの原稿の設置の有無を検出する原稿設置検出手段及び原稿を原稿読取台上に押しつける圧板の開閉状態を検出する圧板開閉検出手段等の画像形成動作前の前動作を検出する前動作検出手段と、が設けられている原稿読取部で、原稿台に設置された原稿を圧板で抑えつつ当該原稿に露光ランプを移動させつつ読取光を照射して当該原稿の画像を読み取り、紙搬送状態を検出する紙搬送検出手段等の動作状態を検出する動作検出手段の設けられている画像形成部で、原稿読取部で読み取った原稿の画像を給紙部から搬送されてくる用紙に画像形成するに際して、予め設定された長短２つの異なる第１設定時間と第２設定時間をカウントするタイマカウント手段が、画像形成動作が終了した後、短い方の設定時間である第１設定時間をカウントすると、電源供給／遮断手段が、動作検出手段への電源の供給を遮断し、その後、タイマカウント手段が長い方の設定時間である第２設定時間をカウントすると、前動作検出手段への電源の供給を遮断することにより、予め設定された設定時間内に画像形成動作または電源供給復帰動作が行われなかった場合に、動作状態を検出する動作検出手段と、画像形成動作前の各種動作を検出する前動作検出手段への電源供給を順次遮断し、消費電力を効率的に削減することのできる画像形成装置を提供することを目的としている。
【００１３】
請求項２記載の発明は、位置検出手段及び紙搬送検出手段等の動作検出手段を、透過型フォトインタラプタで構成することにより、安価かつ適切に画像形成動作を検出し、安価にかつ消費電力をより効率的に削減することのできる画像形成装置を提供することを目的としている。
【００１４】
請求項３記載の発明は、第１設定時間及び第２設定時間を任意に設定可能とすることにより、ユーザの利用形態に応じて、前動作検出手段と動作検出手段への電源供給遮断時間を任意に設定できるようにし、消費電力を削減しつつ、利用性の良好な画像形成装置を提供することを目的としている。
【００１５】
請求項４記載の発明は、動作検出手段への電源供給を遮断した後、または、動作検出手段及び前動作検出手段への電源供給を遮断した後、画像形成装置の本体の電源が一旦オフされた後のオン操作、所定の画像形成操作、または、所定の電源供給復帰要求操作があると、動作検出手段への電源供給、または、動作検出手段及び前動作検出手段への電源供給を再開することにより、画像形成動作を要求する操作または当該操作に先立つ操作に基づいて動作検出手段及び前動作検出手段への電源供給を行い、消費電力を効率的に削減しつつ、利用性のより一層良好な画像形成装置を提供することを目的としている。
【００１６】
【課題を解決するための手段】
請求項１記載の発明の画像形成装置は、露光ランプの戻り位置を検出する位置検出手段等の動作状態を検出する動作検出手段と、原稿台上のへの原稿の設置の有無を検出する原稿設置検出手段及び原稿を原稿読取台上に押しつける圧板の開閉状態を検出する圧板開閉検出手段等の画像形成動作前の動作を検出する前動作検出手段と、が設けられている原稿読取部で、前記原稿台に設置された原稿を前記圧板で抑えつつ当該原稿に露光ランプを移動させつつ読取光を照射して当該原稿の画像を読み取り、紙搬送状態を検出する紙搬送検出手段等の動作状態を検出する動作検出手段の設けられている画像形成部で、前記原稿読取部で読み取った原稿の画像を給紙部から搬送されてくる用紙に画像形成する画像形成装置において、少なくとも前記動作検出手段と前記前動作検出手段への電源を個別に供給／遮断する電源供給／遮断手段と、予め設定された長短２つの異なる第１設定時間と第２設定時間をカウントするタイマカウント手段と、当該タイマカウント手段が、前記画像形成動作が終了した後、前記短い方の設定時間である第１設定時間をカウントすると、前記電源供給／遮断手段に前記動作検出手段への電源の供給を遮断させ、その後、前記タイマカウント手段が前記長い方の設定時間である第２設定時間をカウントすると、前記電源供給／遮断手段に前記前動作検出手段への電源の供給を遮断させる制御手段と、を備えていることにより、上記目的を達成している。
【００１７】
上記構成によれば、露光ランプの戻り位置を検出する位置検出手段等の動作状態を検出する動作検出手段と、原稿台上のへの原稿の設置の有無を検出する原稿設置検出手段及び原稿を原稿読取台上に押しつける圧板の開閉状態を検出する圧板開閉検出手段等の画像形成動作前の前動作を検出する前動作検出手段と、が設けられている原稿読取部で、原稿台に設置された原稿を圧板で抑えつつ当該原稿に露光ランプを移動させつつ読取光を照射して当該原稿の画像を読み取り、紙搬送状態を検出する紙搬送検出手段等の動作状態を検出する動作検出手段の設けられている画像形成部で、原稿読取部で読み取った原稿の画像を給紙部から搬送されてくる用紙に画像形成するに際して、予め設定された長短２つの異なる第１設定時間と第２設定時間をカウントするタイマカウント手段が、画像形成動作が終了した後、短い方の設定時間である第１設定時間をカウントすると、電源供給／遮断手段が、動作検出手段への電源の供給を遮断し、その後、タイマカウント手段が長い方の設定時間である第２設定時間をカウントすると、前動作検出手段への電源の供給を遮断するので、予め設定された設定時間内に画像形成動作または電源供給復帰動作が行われなかった場合に、動作状態を検出する動作検出手段と、画像形成動作前の各種動作を検出する前動作検出手段への電源供給を順次遮断することができ、消費電力を効率的に削減することができる。
【００１８】
この場合、例えば、請求項２に記載するように、前記位置検出手段及び前記紙搬送検出手段等の前記動作検出手段は、透過型フォトインタラプタで構成されているものであってもよい。
【００１９】
上記構成によれば、位置検出手段及び紙搬送検出手段等の動作検出手段を、透過型フォトインタラプタで構成しているので、安価かつ適切に画像形成動作を検出することができ、安価にかつ消費電力をより効率的に削減することができる。
【００２０】
また、例えば、請求項３に記載するように、前記画像形成装置は、前記第１設定時間及び前記第２設定時間を任意に設定可能であってもよい。
【００２１】
上記構成によれば、第１設定時間及び第２設定時間を任意に設定可能としているので、ユーザの利用形態に応じて、前動作検出手段と動作検出手段への電源供給遮断時間を任意に設定することができ、消費電力を削減しつつ、利用性を向上させることができる。
【００２２】
さらに、例えば、請求項４に記載するように、前記制御手段は、前記動作検出手段への電源供給を遮断した後、または、前記動作検出手段及び前記前動作検出手段への電源供給を遮断した後、前記画像形成装置の本体の電源が一旦オフされた後のオン操作、所定の画像形成操作、または、所定の電源供給復帰要求操作があると、前記動作検出手段への電源供給、または、前記動作検出手段及び前記前動作検出手段への電源供給を再開するものであってもよい。
【００２３】
上記構成によれば、動作検出手段への電源供給を遮断した後、または、動作検出手段及び前動作検出手段への電源供給を遮断した後、画像形成装置の本体の電源が一旦オフされた後のオン操作、所定の画像形成操作、または、所定の電源供給復帰要求操作があると、動作検出手段への電源供給、または、動作検出手段及び前動作検出手段への電源供給を再開するので、画像形成動作を要求する操作または当該操作に先立つ操作に基づいて動作検出手段及び前動作検出手段への電源供給を行うことができ、消費電力を効率的に削減しつつ、利用性をより一層向上させることができる。
【００２４】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２５】
図１〜図５は、本発明の画像形成装置の一実施の形態を示す図であり、図１は、本発明の画像形成装置の一実施の形態を適用した画像形成装置１の要部ブロック構成図である。
【００２６】
図１において、画像形成装置１は、本体制御基板２、操作部３、読取制御部４、書込制御部５、電子写真プロセス部６、電源部７、電源スイッチ８、原稿設置・圧板開閉検知部９及びランプ位置・紙搬送等検知部１０等を備えている。
【００２７】
本体制御基板２には、ＣＰＵ（Ｃｅｎｔｒａｌ　Ｐｒｏｃｅｓｓｉｎｇ　Ｕｎｉｔ　）２ａ（図２参照）、ＲＯＭ（Ｒｅａｄ　Ｏｎｌｙ　Ｍｅｍｏｒｙ）、ＲＡＭ（Ｒａｎｄｏｍ　Ａｃｃｅｓｓ　Ｍｅｍｏｒｙ）等及びタイマカウント部１１を備えているとともに、図２に示す電源遮断部２０等を備えており、ＣＰＵ（制御手段）２ａが、ＲＯＭ内のプログラムに基づいて。ＲＡＭをワークメモリとして利用しつつ、画像形成装置１の各部を制御して、画像形成装置１としてのシーケンスを行うとともに、所定時間画像形成動作が行われないと主要各部への電源の供給を停止または供給電力を低減する省エネモード処理を実行し、また、後述する検知部電源制御処理を実行する。
【００２８】
タイマカウント部（タイマカウント手段）１１には、予め設定または操作部３で設定される第１設定時間の設定される検知部電源第１オフタイマと、予め設定または操作部３で設定される第２設定時間の設定される検知部電源第２オフタイマの２種類のオフタイマを備えており、タイマカウント部１１は、これら２種類の検知部電源オフタイマの設定時間をそれぞれカウントして、ＣＰＵ２ａに出力する。
【００２９】
ＣＰＵ２ａは、所定の待機状態時にタイマカウント部１１の２種類のオフタイマのカウント結果に基づいて、後述する検知部電源制御処理を行う。
【００３０】
電源遮断部（電源供給／遮断手段）２０は、例えば、ランプ位置・紙搬送等検知部１０については、図２に示すように、電源部７から抵抗Ｒ１を介して供給される＋５Ｖの電源とランプ位置・紙搬送等検知部１０との間に配設されており、本体制御基板２のＣＰＵ２ａの制御下で、オン／オフして、＋５Ｖの電源のランプ位置・紙搬送等検知部１０への供給・停止を行う。
【００３１】
操作部３は、各種操作キーとディスプレイ等を備え、操作キーからは画像形成装置１に各種動作を行わせるのに必要な各種命令の入力操作、特に、後述する検知部電源制御処理に必要な命令操作が行われ、ディスプレイは、ＣＰＵ２ａの制御下で、当該操作キーからのキー操作内容や画像形成装置１からユーザに通知する各種情報、特に、後述する検知部電源制御処理でユーザに通知する情報を表示出力する。特に、操作部３には、上記省エネモード処理を中止して電源供給を復帰させる電源復帰キーが設けられている。
【００３２】
読取制御部４には、画像形成装置１の備えている図示しない原稿読取部が接続されており、読取制御部４は、ＣＰＵ２ａの制御下で、原稿読取部の動作を制御して、原稿の画像を読み取って、本体制御基板２に出力する。この原稿読取部には、原稿の設置される原稿台、原稿読取台上の原稿を当該原稿に押しつける圧板、原稿読取台上の原稿に副走査方向に露光ランプを移動させつつ当該露光ランプから露光光を照射して原稿の画像を読み取る走査光学系等が設けられている。
【００３３】
電子写真プロセス部６は、感光体上に露光部から画像信号に基づいて変調したレーザ光を照射して静電潜像を形成して、当該静電潜像を現像部でトナーを付着させてトナー像を形成し、当該トナー像を給紙部から搬送されてくる記録紙に転写して、記録紙上のトナー像を定着部で定着させた後、トレー上に排出するという一連の画像形成プロセスを行うことで画像形成する。
【００３４】
書込制御部５は、読取制御部４の制御下で原稿読取部の読み取った原稿の画像信号を本体制御基板２から受け取って、当該画像信号に基づいて、電子写真プロセス部６に上記画像形成プロセスを行わせて、画像形成させる。
【００３５】
電源部７は、外部から供給される商用電源を直流変換するとともに、電圧変換して、画像形成装置１の各部に電源を供給する。
【００３６】
電源スイッチ８は、外部商用電源と電源部７との間に配設され、手動操作でオン／オフされることで、電源部７への外部商用電源の供給／遮断を行う。
【００３７】
原稿設置・圧板開閉検知部９は、原稿読取部に設けられ、原稿読取部の原稿台上への原稿の設置の有無を検出する原稿設置検知センサ及び読取部の原稿読取台（コンタクトガラス等）上に原稿を押しつける圧板の開閉状態を検出する圧板開閉検知センサ等を総称した前動作検出部（前動作検出手段））であり、上記原稿設置検知センサの検出した原稿台上への原稿の設置の有無の検出信号及び上記圧板開閉検知センサの検出した圧板の開閉状態の検出信号を本体制御基板２のＣＰＵ２ａに出力する。
【００３８】
ランプ位置・紙搬送等検知部１０は、電子写真プロセス部６に設けられ、電子写真プロセス部６の記録紙の搬送路上の記録紙の有無やジャムの発生の有無を検出する紙搬送検知センサ、画像形成動作終了後に露光ランプが所定の位置に戻っていいるかどうかを検出するランプ位置検知センサ等を総称した動作検出部（動作検出手段）であり、紙搬送検知センサの検出した記録紙の有無やジャムの発生の有無の検出信号及びランプ位置検知センサの検出した露光ランプの位置検出信号を本体制御基板２のＣＰＵ２ａに出力する。具体的には、ランプ位置・紙搬送等検知部１０のランプ位置検知センサは、図３に示すように、ＬＥＤ１０ａ、フォトダイオード（ＰＤ）１０ｂ及びフィラー１０ｃを備えており、フィラー１０ｃは、ＬＥＤ１０ａとフォトダイオード１０ｂの間に配設されている。ＬＥＤ１０ａには、抵抗Ｒ１ａを介して電源部７から＋５Ｖの電源が供給され、ＬＥＤ１０ａは、フォトダイオード１０ｂ方向に検出光を出射する。フォトダイオード１０ｂには、抵抗Ｒｂを介して電源部７から＋５Ｖの電源が供給されており、フォトダイオード１０ｂは、ＣＰＵ２ａに接続されている。フィラー１０ｃは、ランプ位置又は搬送路中の転写紙によって移動して、ＬＥＤ１０ａからフォトダイオード１０ｂまでの光路を遮断したり、透過させたりする。
【００３９】
そして、フォトダイオード１０ｂは、図７に示したように、搬送路に紙があるときには、フィラー１０ｃがＬＥＤ１０ａとフォトダイオード１０ｂの光路を遮断して、フォトダイオード１０ｂは、ＣＰＵ２ａに「Ｌ」の検出信号を出力し、搬送路に紙がないときには、フィラー１０ｃがＬＥＤ１０ａとフォトダイオード１０ｂの光路を遮断せずに透過させて、フォトダイオード１０ｂは、ＣＰＵ２ａに「Ｈ」の検出信号を出力する。
【００４０】
そして、上記ＬＥＤ１０ａと電源部７との間及びフォトダイオード１０ｂと電源部７との間には、上記電源遮断部２０ａ、２０ｂが配設されており、電源遮断部２０ａ、２０ｂは、ＣＰＵ２ａの制御下で、オン／オフして、ＬＥＤ１０ａ及びフォトダイオード１０ｂへの電源の供給／遮断を行う。
【００４１】
次に、本実施の形態の作用を説明する。本実施の形態の画像形成装置１は、所定時間画像形成動作が行われないと主要各部への電源の供給を停止または供給電力を低減する省エネモード処理を実行するとともに、この省エネモード処理で、予め設定または操作部３で設定された第１設定時間と第２設定時間という異なる２つの設定時間によってランプ位置・紙搬送等検知部１０と原稿設置・圧板開閉検知部９への電源の供給を順次遮断する検知部電源制御処理を実行する。
【００４２】
そして、この第１設定時間と第２設定時間とは、ユーザが画像形成装置１のモードを設定モードにすることで、任意の時間を設定することもできる。
【００４３】
そして、ＣＰＵ２ａは、この設定モードが選択されると、例えば、図４に示すように、設定時間の設定画面を表示し、第１設定時間と第２設定時間の設定を可能にする。この設定時間設定画面で第１設定時間と第２設定時間が設定入力されると、ＣＰＵ２ａは、本体制御基板２の不揮発性メモリに当該設定入力された第１設定時間と第２設定時間を格納する。なお、第１設定時間と第２設定時間は、上記ユーザによる設定が行われないか、未設定のときには、予め設定されている初期設定時間が採用される。
【００４４】
そして、画像形成装置１は、図５に示すように、検知部電源制御処理を行う。
すなわち、ＣＰＵ２ａは、画像形成動作が終了すると（ステップＳ１０１）、不揮発性メモリに格納していた第１設定時間と第２設定時間をタイマカウント部１１に設定して、タイマカウント部１１に設定時間のカウントを開始させ（ステップＳ１０２）、原稿設置・圧板開閉検知部９からの検出信号等による次の画像形成動作要求があるかチェックする（ステップＳ１０３）。
【００４５】
ステップＳ１０３で、原稿設置・圧板開閉検知部９からの検出信号等による次の画像形成動作要求があると、ＣＰＵ２ａは、タイマカウント部１１による設定時間のカウントを停止させて、当該タイマカウント部１１のカウント値をクリアし（ステップＳ１０４）、ランプ位置・紙搬送等検知部１０及び原稿設置・圧板開閉検知部９への電源の供給を行って（ステップＳ１０５）、要求された画像形成動作を行う（ステップＳ１０６）。
【００４６】
ＣＰＵ２ａは、画像形成動作を行うと、ステップＳ１０１に戻って、当該画像形成動作が終了したかチェックし（ステップＳ１０１）、画像形成動作が終了すると、再度、タイマカウント部１１に設定時間のカウントを開始させて（ステップＳ１０２）、原稿設置・圧板開閉検知部９からの検出信号等による次の画像形成動作要求があるかチェックする（ステップＳ１０３）。
【００４７】
ステップＳ１０３で、次の画像形成動作要求がないときには、ＣＰＵ２ａは、タイマカウント部１１のカウント時間が第１設定時間になったかチェックし（ステップＳ１０７）、タイマカウント部１１のカウント時間が第１設定時間になっていないときには、ステップＳ１０３に戻って、原稿設置・圧板開閉検知部９からの検出信号等による次の画像形成動作要求があるかのチェックから上記同様に処理する（ステップＳ１０３〜Ｓ１０７）。
【００４８】
ステップＳ１０７で、タイマカウント部１１のカウント時間が第１設定時間になると、ＣＰＵ２ａは、電源遮断部２０を制御して、ランプ位置・紙搬送等検知部１０への電源の供給を遮断し（ステップＳ１０８）、電源スイッチ８が一旦オフされた後オンされるか、原稿設置・圧板開閉検知部９からの検出信号等による次の画像形成動作要求または操作部３の電源復帰キー等による電源供給復帰要求があるかチェックする（ステップＳ１０９）。
【００４９】
ステップＳ１０９で、電源スイッチ８が一旦オフされた後オンされるか、原稿設置・圧板開閉検知部９からの検出信号等による次の画像形成動作要求または操作部３の電源復帰キー等による電源供給復帰要求があると、ＣＰＵ２ａは、ステップＳ１０４に移行して、上記同様に、タイマカウント部１１による設定時間のカウントの停止及びカウント値のクリアを行って、ランプ位置・紙搬送等検知部１０及び原稿設置・圧板開閉検知部９への電源の供給を行い、要求された画像形成動作を行って（ステップＳ１０４〜Ｓ１０６）、ステップＳ１０１に戻って、上記同様の処理を行う（ステップＳ１０１〜Ｓ１０９）。
【００５０】
ステップＳ１０９で、電源スイッチ８が一旦オフされた後オンされるか、原稿設置・圧板開閉検知部９からの検出信号等による次の画像形成動作要求または操作部３の電源復帰キー等による電源供給復帰要求がないときには、ＣＰＵ２ａは、タイマカウント部１１のカウント時間が第２設定時間になったかチェックし（ステップＳ１１０）、タイマカウント部１１のカウント時間が第２設定時間になっていないときには、ステップＳ１０９に戻って、電源スイッチ８が一旦オフされた後オンされるか、原稿設置・圧板開閉検知部９からの検出信号等による次の画像形成動作要求または操作部３の電源復帰キー等による電源供給復帰要求があるかのチェックから上記同様に処理する（ステップＳ１０９、Ｓ１０４〜Ｓ１０６、Ｓ１０１〜Ｓ１１０）。
【００５１】
ステップＳ１１０で、タイマカウント部１１のカウント時間が第２設定時間になると、ＣＰＵ２ａは、電源遮断部２０を制御して、原稿設置・圧板開閉検知部９への電源の供給を遮断し（ステップＳ１１１）、電源スイッチ８が一旦オフされた後オンされるか、原稿設置・圧板開閉検知部９からの検出信号等による次の画像形成動作要求または操作部３の電源復帰キー等による電源供給復帰要求があるかチェックする（ステップＳ１１２）。
【００５２】
ステップＳ１１２で、電源スイッチ８が一旦オフされた後オンされるか、原稿設置・圧板開閉検知部９からの検出信号等による次の画像形成動作要求または操作部３の電源復帰キー等による電源供給復帰要求があると、ＣＰＵ２ａは、ステップＳ１０４に移行して、上記同様に、タイマカウント部１１による設定時間のカウントの停止及びカウント値のクリアを行って、ランプ位置・紙搬送等検知部１０及び原稿設置・圧板開閉検知部９への電源の供給を行い、要求された画像形成動作を行って（ステップＳ１０４〜Ｓ１０６）、ステップＳ１０１に戻って、上記同様の処理を行う（ステップＳ１０１〜Ｓ１１２）。
【００５３】
ステップＳ１１２で、電源スイッチ８が一旦オフされた後オンされるか、原稿設置・圧板開閉検知部９からの検出信号等による次の画像形成動作要求または操作部３の電源復帰キー等による電源供給復帰要求がないと、処理を終了する。
【００５４】
このように、本実施の形態の画像形成装置１は、原稿読取部で、原稿台に設置された原稿を圧板で抑えつつ当該原稿に露光ランプを移動させつつ読取光を照射して当該原稿の画像を読み取り、電子写真プロセス部６で、原稿読取部で読み取った原稿の画像を給紙部から搬送されてくる用紙に画像形成するに際して、予め設定された長短２つの異なる第１設定時間と第２設定時間をカウントするタイマカウント部１１が、画像形成動作が終了した後、短い方の設定時間である第１設定時間をカウントすると、電源遮断部２０が、ランプ位置・紙搬送等検知部１０への電源の供給を遮断し、その後、タイマカウント部１１が長い方の設定時間である第２設定時間をカウントすると、原稿設置・圧板開閉検知部９への電源の供給を遮断している。
【００５５】
したがって、予め設定された設定時間内に画像形成動作または電源供給復帰動作が行われなかった場合に、動作状態を検出するランプ位置・紙搬送等検知部１０と、画像形成動作前の各種動作を検出する原稿設置・圧板開閉検知部９への電源供給を順次遮断することができ、消費電力を効率的に削減することができる。
【００５６】
また、本実施の形態の画像形成装置１は、ランプ位置・紙搬送等検知部１０を、透過型フォトインタラプタで構成している。
【００５７】
したがって、安価かつ適切に画像形成動作を検出することができ、安価にかつ消費電力をより効率的に削減することができる。
【００５８】
さらに、本実施の形態の画像形成装置１は、第１設定時間及び第２設定時間を任意に設定可能としている。
【００５９】
したがって、ユーザの利用形態に応じて、原稿設置・圧板開閉検知部９とランプ位置・紙搬送等検知部１０への電源供給遮断時間を任意に設定することができ、消費電力を削減しつつ、利用性を向上させることができる。
【００６０】
また、本実施の形態の画像形成装置１は、ランプ位置・紙搬送等検知部１０への電源供給を遮断した後、または、ランプ位置・紙搬送等検知部１０及び原稿設置・圧板開閉検知部９への電源供給を遮断した後、画像形成装置１の本体の電源が一旦オフされた後のオン操作、所定の画像形成操作、または、所定の電源供給復帰要求操作があると、ランプ位置・紙搬送等検知部１０への電源供給、または、ランプ位置・紙搬送等検知部１０及び原稿設置・圧板開閉検知部９への電源供給を再開している。
【００６１】
したがって、画像形成動作を要求する操作または当該操作に先立つ操作に基づいてランプ位置・紙搬送等検知部１０及び原稿設置・圧板開閉検知部９への電源供給を行うことができ、消費電力を効率的に削減しつつ、利用性をより一層向上させることができる。
【００６２】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００６３】
【発明の効果】
請求項１記載の発明の画像形成装置によれば、露光ランプの戻り位置を検出する位置検出手段等の動作状態を検出する動作検出手段と、原稿台上のへの原稿の設置の有無を検出する原稿設置検出手段及び原稿を原稿読取台上に押しつける圧板の開閉状態を検出する圧板開閉検出手段等の画像形成動作前の前動作を検出する前動作検出手段と、が設けられている原稿読取部で、原稿台に設置された原稿を圧板で抑えつつ当該原稿に露光ランプを移動させつつ読取光を照射して当該原稿の画像を読み取り、紙搬送状態を検出する紙搬送検出手段等の動作状態を検出する動作検出手段の設けられている画像形成部で、原稿読取部で読み取った原稿の画像を給紙部から搬送されてくる用紙に画像形成するに際して、予め設定された長短２つの異なる第１設定時間と第２設定時間をカウントするタイマカウント手段が、画像形成動作が終了した後、短い方の設定時間である第１設定時間をカウントすると、電源供給／遮断手段が、動作検出手段への電源の供給を遮断し、その後、タイマカウント手段が長い方の設定時間である第２設定時間をカウントすると、前動作検出手段への電源の供給を遮断するので、予め設定された設定時間内に画像形成動作または電源供給復帰動作が行われなかった場合に、動作状態を検出する動作検出手段と、画像形成動作前の各種動作を検出する前動作検出手段への電源供給を順次遮断することができ、消費電力を効率的に削減することができる。
【００６４】
請求項２記載の発明の画像形成装置によれば、位置検出手段及び紙搬送検出手段等の動作検出手段を、透過型フォトインタラプタで構成しているので、安価かつ適切に画像形成動作を検出することができ、安価にかつ消費電力をより効率的に削減することができる。
【００６５】
請求項３記載の発明の画像形成装置によれば、第１設定時間及び第２設定時間を任意に設定可能としているので、ユーザの利用形態に応じて、前動作検出手段と動作検出手段への電源供給遮断時間を任意に設定することができ、消費電力を削減しつつ、利用性を向上させることができる。
【００６６】
請求項４記載の発明の画像形成装置によれば、動作検出手段への電源供給を遮断した後、または、動作検出手段及び前動作検出手段への電源供給を遮断した後、画像形成装置の本体の電源が一旦オフされた後のオン操作、所定の画像形成操作、または、所定の電源供給復帰要求操作があると、動作検出手段への電源供給、または、動作検出手段及び前動作検出手段への電源供給を再開するので、画像形成動作を要求する操作または当該操作に先立つ操作に基づいて動作検出手段及び前動作検出手段への電源供給を行うことができ、消費電力を効率的に削減しつつ、利用性をより一層向上させることができる。
【図面の簡単な説明】
【図１】本発明の画像形成装置の一実施の形態を適用した画像形成装置の要部ブロック構成図。
【図２】図１の本体制御基板のＣＰＵ、ランプ位置・紙搬送等検知部、電源及び電源遮断部の回路構成図。
【図３】図２のＣＰＵ、ランプ位置・紙搬送等検知部、電源及び電源遮断部の詳細な回路構成図。
【図４】図１の操作部のディスプレイに表示される設定時間の設定画面の一例を示す図。
【図５】図１の画像形成装置による検知部電源制御処理を示すフローチャート。
【図６】従来のランプ位置・紙搬送等検知部とＣＰＵ及び電源の回路構成図。
【図７】図６のランプ位置・紙搬送等検知部のフォトダイオードの出力する信号と搬送路内の紙の有無との関係を示す図。
【符号の説明】
１　画像形成装置
２　本体制御基板
２ａ　ＣＰＵ
３　操作部
４　読取制御部
５　書込制御部
６　電子写真プロセス部
７　電源部
８　電源スイッチ
９　原稿設置・圧板開閉検知部
１０　ランプ位置・紙搬送等検知部
１０ａ
１０ｂ　フォトダイオード
１０ｃ　フィラー
Ｒｂ、Ｒａ　抵抗
１１　タイマカウント部
２０、２０ａ、２０ｂ　電源遮断部
【図１】
2004112166.tif 000003
【図２】
2004112166.tif 000004
【図３】
2004112166.tif 000005
【図４】
2004112166.tif 000006
【図５】
2004112166.tif 000007
【図６】
2004112166.tif 000008
【図７】
2004112166.tif 000009